(57)【特許請求の範囲】
【請求項１】
第１方向と当該第１方向に略垂直に交わる第２方向とを有するハウジング（２）と、
第１方向と当該第１方向に略垂直に交わる第２方向とを有する栓体（５）と、第１方向と当該第１方向に略垂直に交わる第２方向とを有するキャップ（１０）とを有し、
前記ハウジング（２）は、第２方向の上部にポート（３）を突設し、当該ポート（３）の外周に係合部（４）を形成し、
前記栓体（５）は、スリット（６）を有し、当該スリット（６）は、当該栓体（５）の第２方向に沿うように、第２方向の上部から第２方向の途中に至るまで形成するか、または第２方向の上部から下部に亘って形成し、
前記キャップ（１０）は、円筒状の側壁（１３）と、板状の天上壁（１４）とを有し、
前記円筒状の側壁（１３）の内側に、空間（Ｓ）を隔てて、円周リブ（１６）を形成し、
当該円筒状の側壁（１３）の内周に係合部（１５）を形成し、
当該側壁（１３）の係合部（１５）と、前記ポート（３）の係合部（４）とは、相互に係合できる形状に形成し、
前記円周リブ（１６）は、環状に連続に形成した筒体、または一部不連続に間隔をおいて形成した複数の突起より形成し、
当該円周リブ（１６）の内径は、前記栓体（５）の外径よりも若干小さく形成し、
前記栓体（５）を、前記キャップ（１０）の円周リブ（１６）で囲まれる内部空間（１６Ｓ）内に、圧入・嵌合することにより、前記栓体（５）に第一次締付圧力を付与し、
前記側壁（１３）と前記円周リブ（１６）との間に形成された空間（Ｓ）に、前記ポート（３）を圧入・嵌合することにより、前記栓体（５）に外周から、前記ポート（３）と前記円周リブ（１６）とにより、第二次締付圧力を付与したことを特徴とする混注部材（１）。
【請求項２】
請求項１に記載の混注部材（１）を含むことを特徴とする医療用具。
【発明の詳細な説明】
【技術分野】
【０００１】
本発明は、薬液等を注入する混注部材の改良に関する。本発明の混注部材は、血液回路、薬液容器、輸血・輸液セット等の医療用具に使用される。
【背景技術】
【０００２】
例えば特許文献１には、中心部に直線状のカット部又はスリット部を上下方向に貫通して形成した弾性体よりなる栓本体の上面周囲に環状凹溝を設け、該栓本体を薬液等の注入抽出口に固着するためのキャップの内面に前記環状凹溝に嵌合する該環状凹溝よりも体積が大きい環状凸部を形成し、前記環状凸部を環状凹溝に圧入することによって、前記カット部又はスリット部に締付圧を発生させて密封するようにした薬液等注入抽出口用密封装置の発明が開示されている。
また特許文献２には、混注管２００の着座部２０８とキャップ部材１０２の下面によって外周部１８が厚さ方向に圧縮され、かつ、混注管２００の円筒状壁部２０７によって内径方向に圧縮され、シール弁体１１の中央部に大きな圧縮応力が作用するように形成し、さらに、シール弁体１１の中央部を、内側１９および外側２０をそれぞれアーチ型凹部形状にすることにより、挿通部１２の近傍ではより大きな圧縮応力が作用するようにしたシール弁及び注射器接続ポートの発明が開示されている。
【０００３】
特許文献１に記載の発明では、栓体の上側から締付圧力を付与するので、スリット部に締付圧力を集中させにくいことが懸念される。特許文献２に記載の発明では、栓体の中央を薄肉にして、締付圧力を付与するので、栓体のシール性が懸念される。
【０００４】
【特許文献１】特開２００２−３０６６１０号公報（図１０参照）
【特許文献２】特開２００３−３２５６７５号公報（図１、図３参照）
【発明の開示】
【発明が解決しようとする課題】
【０００５】
本発明が解決しようとする問題点は、栓体のスリットに締付圧力を集中させにくい点、栓体のスリットのシール性に難点がある点である。
【課題を解決するための手段】
【０００６】
そこで本発明者は以上の課題を解決するために、鋭意検討を重ねた結果次の発明に到達した。
［１］本発明は、第１方向と当該第１方向に略垂直に交わる第２方向とを有するハウジング（２）と、
第１方向と当該第１方向に略垂直に交わる第２方向とを有する栓体（５）と、第１方向と当該第１方向に略垂直に交わる第２方向とを有するキャップ（１０）とを有し、
前記ハウジング（２）は、第２方向の上部にポート（３）を突設し、当該ポート（３）の外周に係合部（４）を形成し、
前記栓体（５）は、スリット（６）を有し、当該スリット（６）は、当該栓体（５）の第２方向に沿うように、第２方向の上部から第２方向の途中に至るまで形成するか、または第２方向の上部から下部に亘って形成し、
前記キャップ（１０）は、円筒状の側壁（１３）と、板状の天上壁（１４）とを有し、
前記円筒状の側壁（１３）の内側に、空間（Ｓ）を隔てて、円周リブ（１６）を形成し、
当該円筒状の側壁（１３）の内周に係合部（１５）を形成し、
当該側壁（１３）の係合部（１５）と、前記ポート（３）の係合部（４）とは、相互に係合できる形状に形成し、
前記円周リブ（１６）は、環状に連続に形成した筒体、または一部不連続に間隔をおいて形成した複数の突起より形成し、
当該円周リブ（１６）の内径は、前記栓体（５）の外径よりも若干小さく形成し、
前記栓体（５）を、前記キャップ（１０）の円周リブ（１６）で囲まれる内部空間（１６Ｓ）内に、圧入・嵌合することにより、前記栓体（５）に第一次締付圧力を付与し、
前記側壁（１３）と前記円周リブ（１６）との間に形成された空間（Ｓ）に、前記ポート（３）を圧入・嵌合することにより、前記栓体（５）に外周から、前記ポート（３）と前記円周リブ（１６）とにより、第二次締付圧力を付与した混注部材（１）を提供する。
［２］本発明は、［１］に記載の混注部材（１）を含む医療用具を提供する。
【発明の効果】
【０００７】
本発明の混注部材１は、（１）キャップ１０の側壁１３の内側に、円周リブ１６を形成することにより、栓体５の上面（上部）により強い締め付け力を付与することができ、スリット６にアダプター等の注入口を挿入した時のシール性が向上する。（円周リブ１６がない場合は、栓体５の下部に強い締め付け圧が発生し、スリット６に注入口を挿入した時のシール性が弱くなる）
（２）ハウジング２に突設されたポート３を前記キャップ１０の側壁１３と円周リブ１６の間に形成された空間Ｓに装着しているので、[円周リブ１６を形成していない特許文献１に記載の発明（単に上から押さえつけるのみ）と比較して]キャップ１０とポート３の嵌合力が強くなり、キャップ１０が抜けにくくなる。
（３）前記（１）と（２）により、ポート３と円周リブ１６の両方から二重に栓体５の上面（上部）により強い締め付け力を付与することができるので、特許文献１、特許文献２の発明と比較して、スリット６に注入口を挿入した時のシール性が確実に向上する。
【発明を実施するための最良の形態】
【０００８】
図１は本発明の混注部材１の分解図、図２は断面図である。
［混注部材１の概要］
本発明の混注部材１は、第１方向（長手方向）と当該第１方向に略垂直に交わる第２方向（短手方向）とを有するハウジング２と、第１方向（長手方向または半径方向）と当該第１方向に略垂直に交わる第２方向（短手方向、または縦断面方向、または上下方向）とを有する栓体５と、第１方向（長手方向または半径方向）と当該第１方向に略垂直に交わる第２方向（短手方向または上下方向）とを有するキャップ１０とを有する。
キャップ１０の側壁１３の内側に、円周リブ１６を形成し、当該円周リブ１６の内側にスリット６を形成した栓体５を装着し、ハウジング２の第２方向上部に突設されたポート３を前記キャップ１０の側壁１３と円周リブ１６の間に形成された空間Ｓに装着している。
【０００９】
［キャップ１０］
キャップ１０は図１から図２に例示するように、円筒状の側壁１３と板状の天上壁１４より構成され、円筒状の側壁１３の内側（内周）に、空間（Ｓ）を隔てて円周リブ１６が形成されている。
円周リブ１６とは、例えば環状に連続ないし一部不連続に間隔をおいて形成される筒体ないし複数の突起で、円周リブ１６の内径は、栓体５の外径よりも若干小さく形成して、キャップ１０の円周リブ１６で囲まれる内部空間１６Ｓに栓体５を実質的に隙間なく圧入・嵌合できるように形成されている。
側壁１３と円周リブ１６の間に形成された空間Ｓは、ハウジング２に突設されたポート３が実質的に隙間なく圧入・嵌合できるように形成されている。
【００１０】
［栓体５］
またポート３に装填される栓体５は、アダプター（図示せず）の細径部（注入口）を挿入可能なスリット６付きの栓体５であれば何でも良い。スリット６の形態も細径部（注入口）を挿入可能な形態[例えば縦断面方向の上端（上部）から途中に亘って形成されているものあるいは縦断面の上端（上部）から下端（下部）に亘って形成されたもの等]であれば何でも良い。
また図１の例示では、栓体５はポート３の内部に配置されているが、ポート３の下部に配置（厳密にいえば、ポート３下部とハウジング２の上段部との間）しても良い。
ポート３とキャップ１０は、それぞれの係合部４と、係合部１５とで係合される。係合部４、１５は相互に係合できる形状に形成されている。具体的には、突起と溝で、相互に入れ替わっても良い。
【００１１】
［組み立て方法］
図１と図２を参照にして、混注部材１の組み立て方法の一例について説明する。
（１）図１に例示するように、キャップ１０の円周リブ１６内に栓体５を圧入・嵌合する。
さらに詳述すれば、栓体５を、キャップ１０の円周リブ１６で囲まれる内部空間１６Ｓ内に実質的に隙間なく、圧入・嵌合することにより、円周リブ１６により栓体５に第一次締付圧力が付与される。
（２）ハウジング２に突設されたポート３を、前記（１）のキャップ１０の側壁１３と円周リブ１６の間に形成された空間Sに圧入・嵌合する。
これによりポート３と円周リブ１６の両方で二重に栓体５に第二次締付圧力を付与することができる。
【図面の簡単な説明】
【００１２】
【図１】本発明の混注部材１の分解図
【図２】本発明の混注部材１の断面図
【符号の説明】
【００１３】
１ 混注部材
２ ハウジング
３ ポート
４ 係合部
５ 栓体
６ スリット
１０ キャップ
１１ 開口部
１３ 側壁
１４ 天上壁
１５ 係合部
１６ 円周リブ
１６Ｓ  内部空間
【図１】
0004456388.tif 000002
【図２】
0004456388.tif 000003